(57)【要約】【課題】  単一スロットで５種類の異なる形式のメモリカードの差し込み使用に供されるメモリカードアダプタの提供。【解決手段】  本体の一端に外向きに四種類の異なる規格のメモリカードを差し込めるスロットが設けられ、該スロットが複数種類の寸法のスリットを空間を一部重畳及び重ねることで構成され、スロット周側に異なる形式の端子を固定できる端子シートが設けられ、そのうち、スロット内の一つのスリットの左右側にそれぞれＸＤカードを挿入できる溝が設けられ、並びにスロットの底面にＸＤカードの端子の固定に適用される端子シートが設けられてＸＤカードの差し込みに供され、これにより単一スロットで５種類の異なる形式のメモリカードの差し込み使用に供される。【選択図】        図１
0003102396.tif 000002
【実用新案登録請求の範囲】
【請求項１】
プラスチック射出一体成形された本体を具え、該本体の一端に外向きに四種類の異なる規格のメモリカードの差し込みに供されるスロットが設けられ、該スロットが、複数種類の異なるサイズのスリットの一部空間を重畳し積み重ねることで形成され、該本体の周囲に異なる形式の端子の固定に供される端子シートが設けられたメモリカードアダプタにおいて、
スロット内の一つのスリットに左右に向けて溝が延設され、スロットの底面にＸＤカードの端子の固定に供される端子シートが設けられ、単一のスロットで五種類の異なる形式のメモリカードの挿入使用に供され、全体の体積と製造コストを増すことがないことを特徴とする、メモリカードアダプタ。
【請求項２】
請求項１記載のメモリカードアダプタにおいて、溝がスロットの外側より内向きに延伸されて溝の末端にストッパ部が形成されたことを特徴とする、メモリカードアダプタ。
【請求項３】
請求項１記載のメモリカードアダプタにおいて、本体内に書き込み防止装置が設けられたことを特徴とする、メモリカードアダプタ。
【考案の詳細な説明】
【技術分野】
【０００１】
本考案はメモリカードアダプタに係り、特に多種類の異なる規格のメモリカードを差し込めるアダプタの構造であり、単一のアダプタ構造に、四種類のメモリカードを差し込めるほか、ＸＤカードを差し込んで使用することもでき、五種類のメモリカードに使用でき、全体体積及び製造コストを増すことがない、メモリカードアダプタに関する。
【背景技術】
【０００２】
一般にメモリカードはデジタル周辺製品の保存媒体として使用され、現在市場にあるデジタル製品の機種、型番種類は非常に多く、それぞれが特定のメモリカード、例えばＳＭ（登録商標）カード、ＳＤカード、マルチメディアカード、ＭＳ（登録商標）カード、ＣＦ（登録商標）カード、及びＸＤカードを使用する。このようなメモリカードは異なる形状或いは規格とされ、サイズ及び厚さがいずれも異なり、接触端の差異も大きいため、それぞれ適合する規格のメモリカードアダプタに適用される。しかし、各種のデジタル機種規格は必ずしも同じでなく、相互間で互換使用される可能性も高くないため、消費者がメモリカードを購入する時は、規格が符合せず使用できない状況が発生する。市場には二種類のカードに適用するカードアダプタ（例えば特許文献１、２）のほか、四種類のメモリカード（ＳＭ（登録商標）カード、ＳＤカード、マルチメディアカード、ＭＳ（登録商標）カード、ＣＦ（登録商標）カード）に適用されるメモリカードアダプタがあり、これには例えば特許文献３〜７がある。このような構造は異なる規格のメモリカードの使用に適用されるが、しかし四種類のメモリカードに使用できるに過ぎない。このためある業者は二つ以上のアダプタを組み合わせて五種類のメモリカードを差し込める構造を提供している（例えば特許文献８）。しかしこのような構造は五種類のメモリカードを差し込むことができるが、その体積は大きく、製造プロセスが煩瑣で且つ製造コストが高く、現在のコンパクト化の流れに符合しない。
【０００３】
【特許文献１】台湾実用新案公告第４８７８８１号明細書
【特許文献２】台湾実用新案公告第５５９３５２号明細書
【特許文献３】台湾実用新案公告第４６４１１０号明細書
【特許文献４】台湾実用新案公告第４９５１１０号明細書
【特許文献５】台湾実用新案公告第５４７８００号明細書
【特許文献６】台湾実用新案公告第５５３５１８号明細書
【特許文献７】台湾実用新案公告第５５９４０４号明細書
【特許文献８】台湾実用新案公告第５０８０８８号明細書
【考案の開示】
【考案が解決しようとする課題】
【０００４】
本考案は一種のメモリカードアダプタを提供することを目的とし、それは、本体の一端に外向きに四種類の異なる規格のメモリカードを挿入できるスロットが形成され、該スロットが複数種類の寸法のスリットを、空間を一部重畳させ及び積み重ねて層状に空間を延伸することで形成され、本体の周囲に異なる形式の端子を固定するための端子シートが設けられ、そのうち、スロット内の一つのスリットに左右側に向けてＸＤカードの挿入用の溝が設けられ、並びにスロットの底面にＸＤカード端子を固定できる端子シートが設けられ、これによりＸＤカードを挿入でき、これにより五種類の異なる規格のメモリカードの挿入使用に供される。
【課題を解決するための手段】
【０００５】
請求項１の考案は、プラスチック射出一体成形された本体を具え、該本体の一端に外向きに四種類の異なる規格のメモリカードの差し込みに供されるスロットが設けられ、該スロットが、複数種類の異なるサイズのスリットの一部空間を重畳し積み重ねることで形成され、該本体の周囲に異なる形式の端子の固定に供される端子シートが設けられたメモリカードアダプタにおいて、
スロット内の一つのスリットに左右に向けて溝が延設され、スロットの底面にＸＤカードの端子の固定に供される端子シートが設けられ、単一のスロットで五種類の異なる形式のメモリカードの挿入使用に供され、全体の体積と製造コストを増すことがないことを特徴とする、メモリカードアダプタとしている。
請求項２の考案は、請求項１記載のメモリカードアダプタにおいて、溝がスロットの外側より内向きに延伸されて溝の末端にストッパ部が形成されたことを特徴とする、メモリカードアダプタとしている。
請求項３の考案は、請求項１記載のメモリカードアダプタにおいて、本体内に書き込み防止装置が設けられたことを特徴とする、メモリカードアダプタとしている。
【考案の効果】
【０００６】
本考案のメモリカードアダプタは、多種類の異なる規格のメモリカードを差し込めるアダプタの構造であり、単一のアダプタ構造に、四種類のメモリカードを差し込めるほか、ＸＤカードを差し込んで使用することもでき、五種類のメモリカードに使用でき、全体体積及び製造コストを増すことがない。
【考案を実施するための最良の形態】
【０００７】
図１は本考案の実施例の分解斜視図である。本考案は、本体１と端子セット２で組成され、本体１はプラスチック射出成形で一体成形され、一端に外向きに四種類の異なる規格のメモリカードの挿入に供されるスロット１５が設けられ、該スロット１５は複数種類の寸法のスリットの一部空間を重畳及び積み重ねて層状に空間を延伸することで形成される。本体１の周囲には異なる形式の端子２１、２２、２３、２４を固定するための端子シート１１、１２、１３、１４が配置されている（図２）。スロット１５内の一つのスリットの左右側には溝１５１が設置され（図３）、該溝１５１はスロット１５の外側より内向きに延伸されて溝１５１の末端にストッパ部１５２が形成されている。これによりＸＤカードが溝１５１内に挿入されて完全にスロット１５内に嵌入しない。並びに本体１の外側に書き込み防止装置１６１の挿入に供される凹溝１６が設けられている。端子セット２は、四種類の異なる規格の端子２１、２２、２３、２４で組成され、これによりそれぞれ異なる規格のメモリカード、即ちＳＭ（登録商標）カード（Ａ）、ＳＤカード（Ｃ）、マルチメディアカード（Ｄ）、ＭＳ（登録商標）カード（Ｂ）及びＸＤカード（Ｅ）適用される。
【０００８】
組合せ時には、まず端子セット２が本体１の対応する端子シート１１、１２、１３、１４に挿入され（図４）、且つ余分の端子テープが除去され、並びに書き込み防止装置１６１が本体１の凹溝１６内に嵌め込まれ、その後、本体１内の端子セット２が回路を設けた基板（図中、符号なし）にはんだ付けされ、最後に以上により組み合わされた部品がデジタルマルチメディアＡＶ装置或いはコンピュータ及びその周辺設備に固定され、こうして組合せが完成する。
【０００９】
使用時には、異なる規格のメモリカードを以上により組合せを終えた装置内に挿入でき、ＳＭ（登録商標）カード（Ａ）、ＳＤカード（Ｃ）、マルチメディアカード（Ｄ）、ＭＳ（登録商標）カード（Ｂ）及びＸＤカード（Ｅ）上のチップを対応する端子２１、２２、２３、２４に導通させることができる。そのうち、端子２１はＳＭ（登録商標）カード（Ａ）に適用され（図５）、端子２２はＭＳ（登録商標）カード（Ｂ）に適用され（図６）、端子２３はＳＤカード（Ｃ）、マルチメディアカード（Ｄ）に適用され（図７、８）、端子２４はＸＤカード（Ｅ）に適用される（図９）。こうして回路との導通を達成しデータアクセスに供される。
【００１０】
図１０は本考案のもう一つの実施例の使用表示図である。そのうち、本体１は基板４上にはんだ付けされ、並びにケース３が組み合わされ、接続ポート３１及び上下のカバー３２の組合せにより、ＰＣＭＣＩＡインタフェース装置への挿入使用に適用される。
【００１１】
本考案のメモリカードアダプタは単一の装置に、四種類の形式の端子が組み付けられて、空間運用上、十分に完全であり、これにより五種類の異なる形式、寸法、厚さのメモリカードに適用される。また全体体積を増すことがなく、製造、組立のいずれにおいても従来の構造より進歩している。なお、本考案の構造はその出願前に未公開であり、新規性を有している。本考案に基づきなしうる細部の修飾或いは改変は、いずれも本考案の請求範囲に属するものとする。
【図面の簡単な説明】
【００１２】
【図１】本考案の実施例の分解斜視図である。
【図２】本考案の実施例の本体構造表示図である。
【図３】本考案の構造透視図である。
【図４】本考案の実施例の組立表示図である。
【図５】本考案にＳＭ（登録商標）カードを挿入した状態の平面及び断面図である。
【図６】本考案にＭＳ（登録商標）カードを挿入した状態の平面図と断面図である。
【図７】本考案にＳＤカードを挿入した状態の平面図と断面図である。
【図８】本考案にマルチメディアカードを挿入した状態の平面図と断面図である。
【図９】本考案にＸＤカードを挿入した状態の平面図と断面図である。
【図１０】本考案のもう一つの実施例の使用表示図である。
【符号の説明】
【００１３】
１  本体                １１、１２、１３、１４  端子シート
１５  スロット          １５１  溝
１５２  ストッパ部      １６  凹溝
１６１  書き込み防止装置
２  端子セット          ２１、２２、２３、２４  端子
３  ケース              ３１  接続ポート
３２  カバー            ４  基板
Ａ  ＳＭ（登録商標）カード
Ｂ  ＭＳ（登録商標）カード
Ｃ  ＳＤカード
Ｄ  マルチメディアカード
Ｅ  ＸＤカード
【図１】
0003102396.tif 000003
【図２】
0003102396.tif 000004
【図３】
0003102396.tif 000005
【図４】
0003102396.tif 000006
【図５】
0003102396.tif 000007
【図６】
0003102396.tif 000008
【図７】
0003102396.tif 000009
【図８】
0003102396.tif 000010
【図９】
0003102396.tif 000011
【図１０】
0003102396.tif 000012